(57)【要約】【課題】  階段の仕上げを容易に変更することができる階段構造とこの階段構造に用いられる化粧材とを提供する。【解決手段】中ゲタ２０に、段板２１を設けて構成された階段構造１であって、段板２１には、その外表面を被覆する化粧材３が着脱可能となされたものである。化粧材３は、各段板２１を被覆する段板化粧部（上面被覆部，裏面被覆部，段鼻被覆部，端面被覆部）と、この段板２１の被覆状態で段板２１の段鼻部分から垂れ下がり一段下の段板２１の化粧材３と連結可能となされた蹴込板化粧部とからなる階段構造１。化粧材３は、各段板２１を被覆する段板化粧部（裏面被覆部）の下側に、クッション部が設けられた階段構造１。繊維素材からなり、取り外して洗濯可能となされた化粧材３。【選択図】  図１
2010106550.tif 000002
【特許請求の範囲】
【請求項１】
中ゲタに、段板を設けて構成された階段構造であって、
段板には、その外表面を被覆する化粧材が着脱可能となされたことを特徴とする階段構造。
【請求項２】
化粧材は、各段板を被覆する段板化粧部と、この段板の被覆状態で段板の段鼻部分から垂れ下がり一段下の段板の化粧材と連結可能となされた蹴込板化粧部とからなる請求項１記載の階段構造。
【請求項３】
化粧材は、各段板を被覆する段板化粧部の下側に、クッション部が設けられた請求項１または２記載の階段構造。
【請求項４】
繊維素材からなり、取り外して洗濯可能となされた請求項１ないし３の何れか１記載の階段構造に用いられる化粧材。
【発明の詳細な説明】
【技術分野】
【０００１】
本発明は、中ゲタに段板を設けて構成されるタイプの階段構造に関するものである。
【背景技術】
【０００２】
従来より、住宅建物に設ける階段としては、中ゲタに段板を設けて構成されるタイプの階段構造が知られている。
【０００３】
この階段は、蹴込板が無いので、優れた解放感が得られる。この階段を構成する中ゲタや段板は、あらかじめ表面全体を化粧仕上げしたものを使用していた。
【特許文献１】特開２００５−２８２２５３号公報
【特許文献２】特開２００１−２７７８５６号公報
【発明の開示】
【発明が解決しようとする課題】
【０００４】
しかし、上記従来の階段構造の場合、仕上げ材の変更を前提としていないため、部材の劣化や住まい手の趣味・嗜好の変化による部品の取替えは容易にはできないといった不都合を生じる。例えば、この階段構造は蹴込板が無いため視線の抜けや通気性、採光性が良いが、視線の抜けや通気性、採光性を無くしたい場合、対応することができない。
【０００５】
本発明は係る実情に鑑みてなされたものであって、階段の仕上げを容易に変更することができる階段構造とこの階段構造に用いられる化粧材とを提供することを目的としている。
【課題を解決するための手段】
【０００６】
上記課題を解決するための本発明の階段構造は、中ゲタに、段板を設けて構成された階段構造であって、段板には、その外表面を被覆する化粧材が着脱可能となされたものである。
【０００７】
また、化粧材は、各段板を被覆する段板化粧部と、この段板の被覆状態で段板の段鼻部分から垂れ下がり一段下の段板の化粧材と連結可能となされた蹴込板化粧部とからなるものである。
【０００８】
さらに、化粧材は、各段板を被覆する段板化粧部の下側に、クッション部が設けられたものである。
【０００９】
さらに、化粧材は、繊維素材からなり、取り外して洗濯可能となされたものである。
【発明の効果】
【００１０】
以上述べたように、本発明によると、段板の外表面を被覆する化粧材を交換することで、段板の劣化を防止するとともに、化粧材を交換するだけで簡単かつ綺麗に段板の模様替えをすることができる。
【００１１】
また、段板化粧部と蹴込板化粧部とを有する化粧材を用いることで、蹴込板の無い階段であっても、蹴込板を形成し、視線の抜け防止や、通気性、採光性を無くしたりすることができる。
【００１２】
さらに、クッション部を有する化粧材を用いることで、段板に頭をぶつけたりすることを防止して安全性を高めることができる。
【００１３】
さらに、繊維素材からなり、取り外して洗濯可能となされた化粧材を用いることで、汚れを心配することなく、絨毯やマット素材の階段を構成することができる。
【発明を実施するための最良の形態】
【００１４】
以下、本発明の実施の形態を図面を参照して説明する。
【００１５】
図１は階段構造１の全体構成の概略を示し、図２は同階段構造１に用いられる階段本体２を示し、図３は同階段本体２の段板２１に取り付けられる化粧材３を示している。
【００１６】
すなわち、この階段構造１は、階段本体２の段板２１に着脱可能に構成された化粧材３を被覆して構成されている。
【００１７】
階段本体２は、中ゲタ２０に、段板２１を設けて構成されている。各段板２１は、中ゲタ２０には一定間隔を存して支持部材２２が設けられている。段板２１は、この支持部材２２上に固定されることで、一定間隔で水平を保った状態に固定される。
【００１８】
化粧材３は、段板２１の上面に相当する面積で、この上面を被覆する上面被覆部３１と、段板２１の裏面に相当する面積で、支持部材２２に固定された部分に切欠部３２ａが形成され、この裏面を被覆する裏面被覆部３２と、段板２１の端面のうち、段鼻部分を被覆する段鼻被覆部３３とが一体に形成されている。この化粧材３は、上面被覆部３１と裏面被覆部３２との間に段板２１を設けて段板２１を被覆した状態で、段鼻部分以外の段板２１の端面に相当する位置にファスナー４が設けられており、このファスナー４を閉じることによって段板２１を被覆することができるようになされている。また、裏面被覆部３２の下側には、切欠部３２ａを挟んだ両側にクッション材３４が設けられている。このクッション材３４は、階段本体２の各段板２１間の高さに相当する高さに形成されており、蹴込板が無かった階段本体２に蹴込板の代わりとなる。また、このクッション３４によって、段板２１や中ゲタ２０に頭や体をぶつけたりすることを防止できるようになされている。
【００１９】
この化粧材３としては、絨毯やマットを形成するような繊維素材のもので構成されたものであってもよいし、段板２１の外表面に合致するような樹脂、ゴムなどの成形品からなるものであってもよいし、木製のものであってもよいし、これらの複合材からなるものであってもよい。また、化粧材３は、ファスナー４によって段板２１に着脱することができるようになされているが、ファスナー４以外に、ループテープとフックテープとによって係合する面ファスナーや、スナップボタンや、受け挿し接続による着脱手段、またはこれらの２種以上を組み合わせたものであってもよい。
【００２０】
このようにして構成された階段構造１によると、段板２１の外表面を着脱可能な化粧材３で被覆することで、段板２１の劣化を防止することができる。
【００２１】
また、化粧材３を交換するだけで簡単かつ綺麗に段板２１の模様替えをすることができる。例えば、段板２１ごとにデザインの異なった化粧材３で被覆することも可能となり、デザインの自由度が拡がる。
【００２２】
さらに、化粧材３が洗濯可能な繊維素材の場合には、定期的に取り外して洗濯することができる。特に、このような階段構造１では、各段板２１が汚れるため、繊維素材の段板２１を採用することができず、繊維素材の段板２１とする場合は、通常のフローリング材の階段を構成した後に後張りで絨毯などを敷設しなければならなかったが、この化粧材３の場合は、簡単に取り外して洗濯することができるので、繊維素材の階段を構成することができる。
【００２３】
さらに、この階段本体２のように、中ゲタ２０に段板２１を設けた階段構造１の場合、階段構造１を居室や廊下に取り込んだ形で構成されていることが多く、段板２１の角や中ゲタ２０に頭や体をぶつけてしまうことがあるが、化粧材３やこの化粧材３に設けたクッション材３４によって、頭や体をぶつけたりすることを防止したり、仮にぶつけたとしてもその衝撃を緩和して安全性を高めることができる。
【００２４】
なお、化粧材３としては、図４に示すようなものであってもよい。この化粧材３ａは、段板２１の上面被覆部３１と、段板２１の端面とを被覆する端面被覆部３５とを有底箱形に一体形成し、端面被覆部３５の周囲から内側に織り込むことができるように、裏面被覆部３２とフラップ３６とが形成されている。また、クッション材３４に相当する部分を省略している。
【００２５】
この化粧材３ａは、その内側に段板２１を納めた後、フラップ３６を織り込んでから裏面被覆部３２を被覆することで、このフラップ３６と裏面被覆部３２との間に設けた面ファスナー４０によって段板２１を被覆することができるようになされている。なお、面ファスナー４０の大きさはフラップ３６の大きさを適宜変更することによって決定することができる。例えば、より強固な固定力が必要であれば、フラップ３６を大きく形成し、面ファスナー４０による接着面積を大きくすればよい。
【００２６】
この化粧材３ａを用いた階段構造１によると、クッション材３４の部分が無いので、階段本体２の各段板２１の間を塞いでしまうことにならないので、階段本体２が本来有する、視線の抜けや、通気性、採光性を確保したまま化粧材３ａのみを必要に応じて取り付けたり外したりすることができる。
【００２７】
また、図５に示すような化粧材３ｂであってもよい。この化粧材３ｂは、図４に示す化粧材３ａに、さらに段板２１間の高さに相当する大きさの蹴込板部３７が延設されている。この化粧材３ｂは、段板２１を被覆した状態で、蹴込板部３７の先端と、下段の段板２１に被覆される化粧材３ｂの端面被覆部３５の外側との間に設けた面ファスナー４１によって、各段板２１毎に被覆さた化粧材３ｂを連結するようになされている。そして、この連結によって蹴込板部３７が階段構造１の蹴込板となるように構成されている。
【００２８】
この化粧材３ｂを用いた階段構造１によると、蹴込板部３７によって、階段本体２の各段板２１の間を塞ぐことができるので、階段本体２の段板２１間からの視線の抜けを防止したり、通気性、採光性を無くしたりすることができる。また、図４に示す化粧材３ａと図５に示す化粧材３ｂとを階段本体２の場所や季節に応じて使い分けるだけで、より快適な居住環境を、簡単に作り出すことができる。
【００２９】
なお、本実施の形態において、階段構造１は、段板２１の略中央に中ゲタ２０を有する階段本体２によって構成されているため、この中ゲタ２０と干渉しない化粧材３，３ａ，３ｂを形成するようになされているが、この階段本体２としては、中ゲタ２０が２本ある階段であってもよい。また、中ゲタ２０が段板２１の中央ではなく両側近傍に設けられた階段本体２であってもよい。この場合、化粧材３，３ａ，３ｂは、これら階段本体２に応じて形成される。
【産業上の利用可能性】
【００３０】
本発明に係る階段構造は、住宅建物の階段に使用される。
【図面の簡単な説明】
【００３１】
【図１】（ａ）は本発明に係る階段構造の全体構成の概略を示す正面斜視図、同図（ｂ）は背面斜視図である。
【図２】本発明に係る階段構造に用いられる階段本体を示す正面斜視図である。
【図３】本発明に係る階段構造に用いられる化粧材を示す斜視図である。
【図４】（ａ）は本発明に係る階段構造に用いられる化粧材の他の実施の形態を示す裏面斜視図、同図（ｂ）はこの化粧材を階段本体の段板に取り付けた状態を示す側断面図である。
【図５】（ａ）は本発明に係る階段構造に用いられる化粧材のさらに他の実施の形態を示す裏面斜視図、同図（ｂ）はこの化粧材を階段本体の段板に取り付けた状態を示す側断面図である。
【符号の説明】
【００３２】
１  階段構造
２  階段本体
２０  中ゲタ
２１  段板
３  化粧材
３ａ  化粧材
３ｂ  化粧材
３１  上面被覆部（段板化粧部）
３２  裏面被覆部（段板化粧部）
３３  段鼻被覆部（段板化粧部）
３４  クッション材
３５  端面被覆部（段板化粧部）
３７  蹴込板部（蹴込板化粧部）
４  ファスナー
【図１】
2010106550.tif 000003
【図２】
2010106550.tif 000004
【図３】
2010106550.tif 000005
【図４】
2010106550.tif 000006
【図５】
2010106550.tif 000007